(57)【要約】      （修正有）【課題】簡易な施工作業によって確実に防水施工をすることが可能な電気機器及びインターホン装置を提供する。【解決手段】被取付部Ａに装着する装着面に、被取付部Ａに対向して形成されたコーキング剤Ｅを収納するための凹部１１ｆを有するカバー１１と、電気回路をカバー内部に収容した機器本体１２を具備する電気機器及びインターホン装置を構成する。【選択図】図４
2007088549.tif 000002
【特許請求の範囲】
【請求項１】
被取付部に装着する装着面に、被取付部に対向して形成されたコーキング剤を収納するための凹部を有するカバーと、電気回路をカバー内部に収容した機器本体を具備することを特徴とする電気機器。
【請求項２】
被取付部に装着する装着面に、被取付部に対向して形成されたコーキング剤を収納するための凹部を有する取付部材と；
取付部材に取付けられ通信回路及び呼出回路を収容したインターホン子機と；
インターホン子機と通信可能に設置されたインターホン親機と；
を具備することを特徴とするインターホン装置。
【請求項３】
前記凹部は、底面部を除いた装着面の周囲に被取付部に対向して連続した凹溝により構成したことを特徴とする請求項１または２に記載の電気機器及びインターホン装置。
【発明の詳細な説明】
【技術分野】
【０００１】
本発明は、家屋の外壁面などの被取付部に設置される電気機器及びインターホン装置に関する。
【背景技術】
【０００２】
従来、この種の電気機器、例えば、インターホン装置においては、屋内に親機を設置すると共に、玄関の外壁面等に子機を設置して、来客などの際に子機と親機とで相互に通信を行い、音声による通話や、画像による来客の視認が行えるようになっている。
【０００３】
このインターホン装置、特に呼出機能や画像を撮影するためのカメラや、それらを作動させるための電気回路を収容する子機は、取付枠を介して玄関の外壁面や門柱等に設置されることから、外壁面と取付枠との間に隙間が生じ、この隙間から降雨時に雨水が浸入し、子機裏面にある電気端子部や配線用のリード線等が、長期の使用にわたると腐食したりして故障が発生する恐れがあった。
【０００４】
この問題は、インターホン装置に限らず、浴室に設置する風呂用リモコンや浴室用のテレビ等の電気機器でも同様の問題がある。
【０００５】
この問題を解決するため、例えば、特許文献１及び特許文献２に示される電気機器が知られている。
【０００６】
特許文献１に示されるものは、防雨型ロビーインターホンで、埋め込みボックスと内器ボックスの間にパッキング材を介在させて、回路基板等の内部機器を収容した内器ボックス内に雨水が浸入しないように構成したものである。
【０００７】
特許文献２に示されるものは、浴室用電子機器およびその取付方法で、電子機器の背面全周を面取りし、浴室の壁面に取付けた状態で面取りした部分がＶ字状の充填スペースになるようにして、その充填スペースにコーキング剤を充填したものである。
【特許文献１】実公平７−２０９７８号公報
【特許文献２】特開２００４−２１４３１８公報
【発明の開示】
【発明が解決しようとする課題】
【０００８】
しかしながら、特許文献１に示される防雨型ロビーインターホンは、パッキング材を別個に用意しなければならず、施工の際もパッキング材を埋め込みボックスと内器ボックスの間に正確に位置合わせをして設置しなければならず、施工が簡単に行えない問題がある。
【０００９】
また、特許文献２に示される浴室用電子機器は、Ｖ字状の充填スペースにコーキング剤を充填したもので、充填後に、隙間をなくしたり外観をよくするためにコーキング剤をＶ字状のスペース内で延ばして表面を成形する必要がある。
【００１０】
この成形作業は、施工者が指で、若しくは専用のへら状治具を使用して行う必要があり、施工作業に手間がかかる。特にこの成形作業は、現場で、しかも設置後の後作業となるため、どうしても外観上の見栄えが悪くなり、また狭い設置場所によっては成形作業がし難くなり、場合によっては成形作業が行えないケースも生じる。
【００１１】
しかも、万一、コーキング剤を延ばす成形作業を忘れた場合には、隙間からの雨水の侵入による電気機器の故障発生、さらには玄関先や浴室内等において外観上の見栄えが悪くなる問題が生じてしまう。
【００１２】
このため、この種の電気機器においては、簡易な施工作業によって外観を損なうことなく確実に防水施工をすることが可能な電気機器及びインターホン装置が要望されており、これを如何に実現するかが重要な課題となっている。
【００１３】
本発明は、上述した問題、課題を解決することを目的とし、簡易な施工作業によって確実に防水施工をすることが可能な電気機器及びインターホン装置を提供しようとするものである。
【課題を解決するための手段】
【００１４】
請求項１に記載の電気機器の発明は、被取付部に装着する装着面に、被取付部に対向して形成されたコーキング剤を収納するための凹部を有するカバーと、電気回路をカバー内部に収容した機器本体を具備することを特徴とする。
【００１５】
本発明によれば、被取付部に対向して形成されたコーキング剤を収納するための凹部を有することにより、簡易な施工作業によって確実に防水施工をすることが可能な電気機器が構成される。
【００１６】
本発明において、電気回路をカバー内部に収容した機器本体は、インターホン装置、屋外用の配電盤や配線器具、さらには浴室に設置される風呂用リモコン、浴室用テレビ等の電子機器を含め、防水施工が必要となる電気機器全てを許容する。
【００１７】
また、機器本体は直接、被取付部に設置するものでも、機器本体とは別個の取付部材を介して間接的に被取付部に設置するものでもよい。
【００１８】
機器本体を取付部材を介して間接的に被取付部に設置する場合、取付部材が本発明のカバーを構成し、電気回路は直接カバーに収容されるのではなく、間接的にカバー内部に収容される。
【００１９】
被取付部は、家屋の玄関や塀の壁面、門柱、郵便受けボックス、さらには浴室の壁面等を許容し、被取付部を構成する材質は、木材、合成樹脂、コンクリート等、さらにはステンレスからなる郵便受けボックス等、金属で構成されたものを許容する。
【００２０】
被取付部に設置される装着面は、機器本体が直接、被取付部に設置される場合には、機器本体自体が装着面を有していてもよく、また別個の取付部材を介して間接的に被取付部に設置する場合には、取付部材に装着面を有していてもよい。
【００２１】
コーキング剤を収納するための凹部は、装着面の周囲に被取付部に面して形成することが好ましいが、設置条件等により、装着面の中央部分に形成してもよく、特定の場所には限定されない。
【００２２】
また、凹部は連続した凹溝でも、円形、角形等の小さな穴からなる複数個の小穴を、直線状に連続して配置して構成してもよく、さらに一重でも、二重など多重に形成してもよい。
【００２３】
また、凹部は、装着面の全周に形成することも許容するが、水を排水するための水抜き用に、一部分に形成しないようにしてもよい。
【００２４】
本発明は、機器本体を被取付部に設置した後に、コーキング剤を延ばす成形作業を省略するようにして、簡易な施工作業となすことも一つの目的としているが、設置場所の状況等により、さらなる防水効果が必要な場合などに、コーキング剤の成形作業を追加して行うことを妨げるものではない。
【００２５】
請求項２に記載のインターホン装置の発明は、被取付部に装着する装着面に、被取付部に対向して形成されたコーキング剤を収納するための凹部を有する取付部材と；取付部材に取付けられ通信回路及び呼出回路を収容したインターホン子機と；インターホン子機と通信可能に設置されたインターホン親機と；を具備することを特徴とする。
【００２６】
本発明によれば、被取付部に対向して形成されたコーキング剤を収納するための凹部を有する取付部材により、簡易な施工作業によって確実に防水施工をすることが可能なインターホン装置が構成される。
【００２７】
取付部材は、機器本体をコンクリート等の被取付部に直接取付けるのではなく、取付部材を介して設置するためのもので、合成樹脂で枠状に構成し、枠の裏面を装着面となし、枠の表面となる部分にインターホン子機を取付けるように構成することが好ましいが、形状は枠に限らずに皿状、盆状等に形成しても、さらに材質も合成樹脂に限らず、アルミニウムやステンレス等の金属で構成してもよく、形状及び材質は特定のものに限定されない。
【００２８】
請求項３に記載の発明は、請求項１または２に記載の電気機器及びインターホン装置において、前記凹部は、底面部を除いた装着面の周囲に被取付部に対向して連続した凹溝により構成したことを特徴とする。
【発明の効果】
【００２９】
請求項１の発明によれば、被取付部に対向して形成されたコーキング剤を収納するための凹部を有することにより、簡易な施工作業によって外観を損なわずに確実に防水施工をすることが可能な電気機器を提供することができる。
【００３０】
請求項２の発明によれば、被取付部に対向して形成されたコーキング剤を収納するための凹部を有する取付部材により、簡易な施工作業によって外観を損なわずに確実に防水施工をすることが可能なインターホン装置を提供することができる。
【００３１】
請求項３の発明によれば、凹部は、底面部を除いた装着面の周囲に被取付部に対向して連続した凹溝により構成したことにより、より簡易な施工作業によって外観を損なわずに確実に防水施工をすることが可能な電気機器及びインターホン装置を提供することができる。
【発明を実施するための最良の形態】
【００３２】
以下、本発明の電気機器及びインターホン装置の実施形態につき説明する。
【実施例１】
【００３３】
本実施例は、インターホン装置に係る実施形態であり、その構成を図１〜図５に従い説明する。
【００３４】
１０は、本発明の電気機器を構成するインターホン装置で、被取付部Ａに設置される取付部材１１と、取付部材に取付けられるインターホン子機１２と、インターホン子機と通信可能に設置されるインターホン親機１３で、所謂カラーテレビドアホンを構成する。
【００３５】
図２に示すように、被取付部Ａは、インターホン子機１２を設置するための部材で、本実施例では家屋玄関の木製の壁面で構成され、インターホン子機１２を設置する位置に、予め配線工事により角形の設置穴Ｂが形成され、設置穴には埋込みボックスＣが嵌め込まれ、インターホン親機と接続された配線コードＤが引き出されている。
【００３６】
取付部材１１は、ポリブチレンテレフタレート（ＰＢＴ）等の耐熱性、耐光性で、かつ電気絶縁性を有する合成樹脂で枠状に構成し、枠の底面に開口部１１ａを形成し、開口部の上縁部及び下縁部に取付ネジ１１ｂ、１１ｂを挿通するための小孔１１ｃ、１１ｃを、それぞれ貫通させて形成する。
【００３７】
枠の上辺部に係止凹部１１ｄを一体に形成し（図４）、下辺部にネジ穴を有するボス部１１ｅを一体に形成する。
【００３８】
被取付部Ａへの装着面となる取付部材１１の裏面周囲には、底面部を除いてその上辺部及び左右の側辺部にわたり、逆Ｕ字状をなすように連続して、本発明の凹部を構成する凹溝１１ｆを合成樹脂の一体成形により形成する。
【００３９】
凹溝１１ｆは、断面が半円形状をなす溝で構成し、施工時に溝にコーキング剤Ｅを塗布し、コーキング剤の一部を溝内に収納するためのもので、取付部材１１の裏面で、かつ木製の被取付部Ａに形成された角形の設置穴Ｂの外周壁面に対向させた位置に形成する。
【００４０】
すなわち、取付部材１１の縦横の外形寸法を角形の設置穴Ｂの縦横寸法より大となし、凹溝１１ｆが角形の設置穴Ｂの外周壁面に位置するように構成する（図４）。
【００４１】
図中１１ｇは、取付部材１１の下辺部に形成された水抜き孔である。
【００４２】
インターホン子機１２は、本発明の電気回路を収容した機器本体を構成するもので、本実施例では、カラーテレビドアホンを構成するための通信回路、呼出回路及び撮像回路等を構成する内部機器を収容したケース本体１２ａからなる。
【００４３】
ケース本体１２ａは、ポリブチレンテレフタレート（ＰＢＴ）等の耐熱性、耐光性で、かつ電気絶縁性を有する合成樹脂で箱状に構成され、その表面には、白色発光ダイオードからなる照明装置ａ、カメラ部ｂ、スピーカｃ、マイクｄ、呼出ボタンｅ等が設けられている（図１）。
【００４４】
ケース本体１２ａには、上辺部にフック１２ｂが一体に形成され、下辺部に取付ネジ１２ｃを挿通するための取付孔１２ｄを貫通して形成する。
【００４５】
このフック１２ｂは施工時に、取付部材１１の係止凹部１１ｄに係合し(図４)、取付孔１２ｄには取付ネジ１２ｃが挿通され、取付部材１１のボス部１１ｅのネジ穴にねじ込まれる。
【００４６】
インターホン親機１３は、図１に示すようにインターホン子機と通信可能に屋内に設置されるもので、カラーテレビドアホンを構成するための通信回路、呼出回路及び受像回路等を構成する内部機器を収納したケース本体１３ａからなる。
【００４７】
ケース本体１３ａは、ポリブチレンテレフタレート（ＰＢＴ）等の耐熱性、耐光性で、かつ電気絶縁性を有する合成樹脂で箱状に構成され、その表面には、液晶よりなるモニター画面ｆ、スピーカｇ、プレストークボタンｈ、通話ボタンｉ、モニタボタンｊが設けられている。
【００４８】
さらに側面には図示しないが電源スイッチ、明るさ調整ボリューム、呼出音量調整つまみ、受話音量調節つまみ、送話音量調整つまみ、さらに下面にマイクが設けられている。
【００４９】
上記のように構成されたインターホン親機１３は、電源線と接続され、さらにインターホン子機１２と接続される配線コードＤが配線されて台所等の壁面に設置される。
【００５０】
次に、上記のように構成したインターホン装置を設置するための施工手順につき説明する。
【００５１】
まず、枠状の取付部材１１と本体ケース１２ａが一体に組み込まれたインターホン子機１２を取り出し、取付ネジ１２ｃを緩めて本体ケース１２ａから取付部材１１を外す。
【００５２】
取り外した取付部材１１の裏面の逆Ｕ字状をなす凹溝１１ｆに、チューブに入れられたシリコン系のコーキング剤Ｅを充填する。
【００５３】
この際、チューブから断面円形の棒状をなすゲル状のコーキング剤を押し出し、逆Ｕ字状をなす凹溝１１ｆに沿って塗布するように充填し、断面円形のコーキング剤の約半分程度を断面が半円形状の凹溝内に埋め込むようにして収納し、残り半分が凹溝から外部に露出させるように充填する。
【００５４】
次に、取付部材１１を手で持ち、取付部材１１のコーキング剤Ｅを充填した裏面を被取付部Ａの壁面に向け、さらに取付部材１１の小孔１１ｃ、１１ｃと、壁面の設置穴Ｂに嵌め込まれた埋込みボックスＣのネジ孔Ｃ１とが合致するように位置合わせを行い、取付部材１１を壁面の設置穴Ｂの外周壁面に向けて手で強く押し付ける。
【００５５】
この押し付けにより、取付部材１１の裏面に半分露出していたコーキング剤Ｅが潰されて被取付部Ａの壁面と取付部材１１の裏面との間に広がり、取付部材がコーキング剤の粘性により壁面に接着される。
【００５６】
この際、取付部材１１は合成樹脂で枠状に形成され軽いことから、接着された位置に一次的に仮止めされた状態になる。
【００５７】
この状態で、２本の取付ネジ１１ｂを小孔１１ｃ、１１ｃに挿通させて埋込みボックスＣのネジ孔Ｃ１にねじ込んで固定する。
【００５８】
このねじ込み固定により、潰されて被取付部Ａの壁面と取付部材１１の裏面との間に広がっていたコーキング剤Ｅが、さらに押し潰されて充満する（図４）。
【００５９】
この際、コーキング剤Ｅは半分の量が押し潰されて、取付部材１１と被取付部Ａの壁面の間に充満して広がるので、取付部材と壁面との間がコーキング剤で確実に防水処理され、インターホン子機１２に雨水等がかかっても取付部材１１と壁面Ａの間から水が取付部材の中に侵入することがなく、インターホン子機１２内にも侵入することがない。
【００６０】
同時に、コーキング剤Ｅは約半分の量のみが押し潰されて広がるので、コーキング剤Ｅの一部が取付部材１１の外周からはみ出すことはない。この際、従来のようにコーキング剤Ｅを成形する作業は行わなくてもよい。
【００６１】
次に、埋込みボックスＣから配線コードＤを引き出してインターホン子機１２の端子に接続する。
【００６２】
次に、本体ケース１２ａに形成したフック１２ｂを取付部材１１の係止凹部１１ｄに係合し、さらに取付孔１２ｄに取付ネジ１２ｃを挿通して取付部材１１のボス部１１ｅのネジ穴にねじ込んで固定する。これによりインターホン子機１２の被取付部Ａへの設置作業が完了する。
【００６３】
なお、コーキング剤Ｅは、初期状態ではゲル状であるが、空気中に放置すると硬化してゴム状の弾性体に変化するもので、時間の経過とともに、取付部材１１は被取付部Ａの壁面に対して、より一層強固に取付られ、インターホン子機１２は確実に壁面へ設置されると共に、より一層の防水効果を発揮する。
【００６４】
被取付部Ａの壁面がコンクリート、または金属の場合も、上記と同様の手順で設置作業を行う。特にコンクリートの場合には、壁面の表面に凹凸が形成されているが、約半分露出しているゲル状のコーキング剤の厚みが凹凸を吸収するので、インターホン子機１２が傾いて設置されることが防げる。
【００６５】
上記実施例によれば、取付部材１１の装着面となる裏面の凹溝１１ｆにコーキング剤Ｅを充填し、被取付部Ａの設置穴Ｂの外周壁面に向けて強く押し付けるだけの簡易な作業で防水施工を行うことができる。
【００６６】
コーキング剤Ｅは約半分を凹溝１１ｆ内に埋め込むようにして収納し、残り約半分が凹溝から外部に露出させるように充填したので、コーキング剤は約半分の量が押し潰され、取付部材１１と被取付部Ａの壁面との間に充満して広がるので、確実な防水施工が行える。
【００６７】
同時に、コーキング剤Ｅの一部が取付部材１１の外周からはみ出すことはなく、外観を損ねることもない。
【００６８】
さらに、コーキング剤Ｅが潰されて被取付部Ａの壁面と取付部材１１の裏面との間に広がり、取付部材１１が壁面に接着されて仮止めされた状態となすことができ、その後の取付ネジ等によるねじ込み作業が楽になり、施工作業が一層容易になる。
【００６９】
さらに、取付部材１１の裏面に逆Ｕ字状をなす凹溝１１ｆを形成する簡単な構成で、簡易な施工作業によって確実な防水施工ができるようにしたので、コスト的にも有利となる。
【００７０】
凹溝１１ｆは、取付部材１１の裏面に底面部を除いて逆Ｕ字状をなすように形成したので、取付部材１１の底面部はコーキング剤がなく開放された状態となっている。このため、万一、取付部材内に雨水等が侵入しても、水は取付部材１１の下辺部に形成された水抜き孔１１ｇから排水され、取付部材の中に滞留することがなく、電気機器の故障が発生する恐れがない。
【００７１】
本実施例によれば、従来の特許文献１のように、パッキング材を別個に用意する必要もなく、施工時におけるパッキング材の位置合わせ等の煩わしい作業も不用となる。
【００７２】
また、コーキング剤Ｅの一部が取付部材１１の外周からはみ出すことがないので、特許文献２のようにコーキング剤の充填後に、施工者が指で、若しくは専用のへら状治具を使用してコーキング剤を延ばして表面を成形する必要もなく、施工作業に手間がかからない。
【００７３】
さらに、従来の問題であったコーキング剤を延ばす作業を忘れたことによる電気機器の故障発生、さらにはコーキング剤のはみ出しによる外観上の問題もなくなる。
【００７４】
本実施例において、取付部材１１の凹溝１１ｆを、裏面の上辺部及び左右の側辺部にわたり、逆Ｕ字状をなすように連続して形成したが、取付部材１１の裏面全周にわたりロ字状に形成してもよい。
【００７５】
また、凹溝１１ｆを断面が半円形状をなす溝で構成したが、断面がＶ字状、角形状等の溝で構成してもよい。
【００７６】
さらに、コーキング剤Ｅの塗布量が多くなって、万一、壁面と取付部材１１の間から漏れ出すことを防止するために、図５（ａ）に示すように、高さが低い、例えば、約０．５〜１ｍｍ程度の高さ寸法の土手状をなす凸条部１１ｈを凹溝１１ｆの外周に一体に形成してもよい。
【００７７】
また、土手状をなす凸条部１１ｈに代えて、凹溝１１ｆの外周に、さらに凹溝を形成し、万一はみ出したコーキング剤Ｅを、この外周に設けた凹溝内に収容して外部にはみ出さないようにしてもよい。
【００７８】
さらに、連続して形成した凹溝ではなく、図５（ｂ）に示すように円形の小さな穴からなる複数個の凹部１１ｆ'を、逆Ｕ字状若しくはロ字状に形成してもよい。
【００７９】
本実施例では、インターホン装置を構成したが、屋外用の配電盤や配線器具、さらには浴室に設置される風呂用リモコン、浴室用テレビ等の電子機器を含め、防水施工が必要となる電気機器を構成するようにしてもよい。
【００８０】
例えば、浴室に設置される風呂用リモコンのように、取付部材を介さずに、直接、リモコン本体を被取付部に設置するものであれば、リモコン本体の電気回路を収容するカバーの裏面を被取付部に装着する装着面となし、コーキング剤を収納するための凹部をカバーの裏面に直接形成するようにしてもよい。
【００８１】
凹部は装着面の周囲ではなく、中央部分若しくは中央部分に近づけて形成してもよい。
【００８２】
以上、本発明の好適な実施形態を説明したが、本発明は上述の実施例に限定されることなく、本発明の要旨を逸脱しない範囲内において、種々の設計変更を行うことができる。
【図面の簡単な説明】
【００８３】
【図１】本発明の実施形態におけるインターホン装置を示す正面図。
【図２】同じくインターホン装置を示す斜視図で、（ａ）は設置手順を説明するための斜視図、（ｂ）は（ａ）における取付部材の裏面を示す背面斜視図。
【図３】図２（ｂ）を拡大して示す図。
【図４】同じくインターホン装置を設置した状態を、一部を切り欠いて示す断面図。
【図５】同じくインターホン装置の変形例を示し、（ａ）は第１変形例における取付部材の背面斜視図、（ｂ）は第２変形例における取付部材の背面斜視図。
【符号の説明】
【００８４】
１０  電気機器
１１ｆ  凹部
１１  カバー（取付部材）
１２  機器本体
Ａ  被取付部
Ｅ  コーキング剤
【図１】
2007088549.tif 000003
【図２】
2007088549.tif 000004
【図３】
2007088549.tif 000005
【図４】
2007088549.tif 000006
【図５】
2007088549.tif 000007